(57)【要約】【課題】監視システム及びその運用方法を提供する。【解決手段】本発明は、音声媒体を介してデジタル署名を伝送し、またデジタル署名を利用して送信装置と監視装置間のマッチング又は認証を行うことができる監視システム１０及びその運用方法を提出する。該監視システム１０は、デジタル署名を可聴周波信号に変換し、また該可聴周波信号を送信するための送信装置２０と、該可聴周波信号を受信し、また該可聴周波信号を該デジタル署名に復元することで装置間のマッチング或いは認証を行うための監視装置３０と、を含む。【選択図】図１
2015162903.tif 000002
【特許請求の範囲】
【請求項１】
送信装置と監視装置間のマッチング或いは認証に用いられるデジタル署名を可聴周波信号に変換する第１の処理モジュールと、前記第１の処理モジュールと接続し、前記可聴周波信号を送信するための音声送信モジュールと、を備える送信装置と、
前記可聴周波信号を受信するための音声受信モジュールと、前記音声受信モジュールと接続し、前記可聴周波信号を該デジタル署名に復元するための第２の処理モジュールと、を備える監視装置と、
を含む監視システムにおいて、
前記デジタル署名は一連のニブルを含み、前記可聴周波信号が一連の可聴周波数を含み、前記一連のニブル内の各ニブルと前記一連の可聴周波数内の各周波数の可聴周波数の対応関係は予め前記送信装置及び前記監視装置内に保存する
ことを特徴とする監視システム。
【請求項２】
前記送信装置は、コンピュータ、スマートテレビ、携帯電話機或いはタブレット型コンピュータである、ことを特徴とする請求項１に記載の監視システム。
【請求項３】
前記音声送信モジュールは、スピーカ、拡声器とすることができる、ことを特徴とする請求項１に記載の監視システム。
【請求項４】
前記音声受信モジュールは、マイク、イヤホン、ＳＡＷフィルター、ＳＡＷ共振器又はＳＡＷセンサーからなる、ことを特徴とする請求項１に記載の監視システム。
【請求項５】
前記デジタル署名は、ユーザ情報、ＭＡＣアドレス若しくはパスワードを含む、ことを特徴とする請求項１に記載の監視システム。
【請求項６】
前記デジタル署名は、チャネルコーディングを含む、ことを特徴とする請求項１に記載の監視システム。
【請求項７】
前記可聴周波信号は、パターンを含む、ことを特徴とする請求項１に記載の監視システム。
【請求項８】
前記パターンは、既定テンポ、周波数で組み合わせた可聴周波数である、ことを特徴とする請求項７に記載の監視システム。
【請求項９】
前記第２の処理モジュールはイコライザーを含む、ことを特徴とする請求項１に記載の監視システム。
【請求項１０】
前記監視装置は、前記第２の処理モジュールと接続し、前記監視装置を通信ネットワークにリンクするために用いられるネットワークモジュールを含む、ことを特徴とする請求項１に記載の監視システム。
【請求項１１】
前記ネットワークモジュールは、有線ＬＡＮモジュール、無線通信モジュール、無線ＬＡＮモジュール、ブルートゥース（登録商標）モジュール、赤外線モジュール或いは近距離無線通信モジュールである、ことを特徴とする請求項１０に記載の監視システム。
【請求項１２】
前記通信ネットワークは、有線ネットワーク、無線通信ネットワーク、無線ネットワーク、ブルートゥース（登録商標）ネットワーク、赤外線ネットワーク又は近距離無線通信ネットワークである、ことを特徴とする請求項１０に記載の監視システム。
【請求項１３】
送信装置内の音声送信モジュールと接続する第１の処理モジュールはデジタル署名を一連のニブルとして分解し、各ニブルを互いに対応する周波数の可聴周波数に変換し、一連の可聴周波数かなる可聴周波信号を形成し、前記音声送信モジュールを通じて前記可聴周波信号を監視装置に伝送するステップＡと、
前記監視装置の第２の処理モジュールと接続する音声受信モジュールは前記可聴周波信号を受信して前記可聴周波信号を前記第２の処理モジュールに伝送するステップＢと、
前記第２の処理モジュールは前記可聴周波信号を該デジタル署名に復元するステップＣと、
前記第２の処理モジュールは前記デジタル署名を利用して前記送信装置と前記監視装置間のマッチング及び認証を行うステップＤと、
からなる監視システム運用方法。
【請求項１４】
前記ステップＡは、まず前記デジタル署名にユーザ情報、ＭＡＣアドレス或いはパスワードを加えてから前記一連のニブルとして分解する、ことを特徴とする請求項１３に記載の監視システム運用方法。
【請求項１５】
前記ステップＡは、まず前記デジタル署名にチャネルコーディングを加えてから前記一連のニブルとして分解する、ことを特徴とする請求項１３に記載の監視システム運用方法。
【請求項１６】
前記ステップＡは、まず前記可聴周波信号にパターンを挿入してから前記音声送信モジュールを通じて前記監視装置まで伝送する、ことを特徴とする請求項１３に記載の監視システム運用方法。
【請求項１７】
前記ステップＡは、まず前記可聴周波信号に対し波形の変換或いは波の幅の変換を行ってから前記音声送信モジュールを通じて前記監視装置まで伝送する、ことを特徴とする請求項１３に記載の監視システム運用方法。
【請求項１８】
前記ステップＣは、まず前記第２の処理モジュール内のイコライザーで前記可聴周波信号を拡大又は縮小してから前記可聴周波信号を前記デジタル署名に復元する、ことを特徴とする請求項１３に記載の監視システム運用方法。
【請求項１９】
前記ステップＣにおいて前記第２の処理モジュールは、まず前記パターンを利用して前記可聴周波信号の解読時の読み取り枠範囲を識別してから前記可聴周波信号を前記デジタル署名に復元する、ことを特徴とする請求項１６に記載の監視システム運用方法。
【請求項２０】
前記ステップＣにおいて前記第２の処理モジュールは、まず前記可聴周波信号の解読時の読み取り枠範囲を移動してから前記可聴周波信号を前記デジタル署名に復元する、ことを特徴とする請求項１９に記載の監視システム運用方法。
【請求項２１】
前記ステップＣにおいて前記第２の処理モジュールは、前記チャネルコーディングを利用して前記可聴周波信号を前記デジタル署名に復元することに手伝える、ことを特徴とする請求項１５に記載の監視システム運用方法。
【請求項２２】
前記監視装置が前記処理モジュールと接続するネットワークモジュールを通じて通信ネットワークにリンクするステップＥと、前記監視装置が前記通信ネットワークを通じて前記処理モジュールで生成したメッセージを伝送するステップＦと、を更に含む、ことを特徴とする請求項１３に記載の監視システム運用方法。
【発明の詳細な説明】
【技術分野】
【０００１】
本発明は、監視システム及びその運用方法に関し、特に、音声媒体を介してデジタル署名を伝送することで装置間の認証或いはマッチングを行う監視システム及びその運用方法に関する。
【背景技術】
【０００２】
情報テクノロジーの発展に伴い、監視装置は近代ビジネスや家庭において不可欠な基本装備の一つとなっている。監視装置は外部映像及び音声信号等のデータを捕捉した後、データをデジタル信号（ＤＩＧＩＴＡＬ  ＳＩＧＮＡＬ）に変換してからネットワークを通じ遠隔地のユーザに伝送することで、ユーザがリアルタイムで情報・データを把握できるようにする。監視装置は現在も普遍的にビデオ通信、プレゼンテーション、ビジネス会議等の用途に使用されている。
【０００３】
従来の監視装置、例えばネットワークカメラ、監視カメラ等は、通常ＵＳＢ端子、パラレルポート（ＰＡＲＡＬＬＥＬ  ＰＯＲＴ）或いはコンポジット端子（ＣＯＭＰＯＳＩＴＥ  ＶＩＤＥＯ  ＣＯＮＮＥＣＴＯＲ）等の通信ケーブルを利用して表示器に接続し、またこれを介して監視装置が取り込んだ映像及び音声信号等のデータを伝送する。よって監視装置の配置及び撮影範囲は、いずれもこれら通信ケーブルの制限を受け、通信ケーブルの長さによってその範囲内に監視装置をコンピュータ、表示器の周囲に取り付けるだけとなる。近年、通信ネットワークが発展し、３Ｇ、ＬＴＥ、ＷＩ−ＦＩ（登録商標）、ブルートゥース（登録商標）等の無線通信技術が、すでに普遍的に生活に使用され、監視装置が無線として発展している。無線通信ネットワークを通じて監視装置は通信ケーブルの制限を受けず任意の位置に取り付けることができ、同時に従来の通信ケーブル配置の乱雑、構築・維持管理コストが高い等といった問題を解決する。
【０００４】
しかしながら、監視装置の無線化でもたらされる新しい課題の克服が急務である。従来の監視装置が通信ケーブルを通じて直接表示器に接続するため、監視装置はスムーズに映像、音声信号データを特定の表示器に伝送できる。監視装置を無線化した後、監視装置と表示器は無線通信ネットワークを通じて間接的に接続するため、両者に実体としての接続がなく、その後のマッチング及び認証ステップが欠如する状況であり、監視装置で取り込んだ映像、音声信号をどの位置に伝送するかが判断できない。そして、表示器はマッチング及び認証ステップを経ずに監視装置で取り込んだデータを取得できた場合、プライバシーを侵害する懸念を起こすおそれがある。特に近代社会においては、特定空間内に往々にして同時に複数台の監視装置又は複数台の表示器が有るので、このことから上記装置間におけるマッチング及び認証の重要性がはっきりと見えてくる。
【０００５】
このほかに、通信ネットワークの発展につれて、近代社会では徐々にネットワークの安全性が重視されてきている。監視装置は常に１つの空間内において同時に複数の無線ＬＡＮアクセスポイント（ＡＣＣＥＳＳ  ＰＯＩＮＴ）をサーチできるが、それらの無線ＬＡＮアクセスポイントはそのサービス設定の識別子（ＳＳＩＤ）が隠蔽されていたり、或いはアカウントパスワードを通じてログインできる。上記状態において、無線化された監視装置はユーザインターフェースが欠如するため、必要な情報を入力して無線ＬＡＮアクセスポイントに接続することができず、監視装置がその機能を失くしている。よって、監視装置の無線化後にもたらされる多く新しい問題の解決が急務である。
【発明の概要】
【発明が解決しようとする課題】
【０００６】
従来の監視装置に比べて、監視装置が無線化された後、直面したこともない多くの難題がもたらされた。例えば監視装置と表示器の間を如何にしてマッチング又は認証するか、監視装置が取り込んだ映像、音声信号を如何にしてスムーズに特定の表示器に伝送するか、若しくは監視装置が如何にして正確に通信ネットワークに接続するかである。よって、本発明の目的は音声媒体を介してデジタル署名を伝送することで上記問題点を解決できる監視システム及びその運用方法を提供することである。
【課題を解決するための手段】
【０００７】
本発明に係る監視システムは、デジタル署名を可聴周波信号に変換するための第１の処理モジュールと、該第１の処理モジュールと接続し、該可聴周波信号を送信するための音声送信モジュールとを備える送信装置と、該可聴周波信号を受信するための音声受信モジュールと、該音声受信モジュールと接続し、該可聴周波信号を該デジタル署名に復元するための第２の処理モジュールとを備える監視装置と、を含む。更に、該デジタル署名は一連のニブル（４−ＢＩＴ）を含み、該可聴周波信号が一連の可聴周波数を含み、該一連のニブル（４−ＢＩＴ）内の各ニブル（４−ＢＩＴ）と該一連の可聴周波数内の各周波数の可聴周波数の対応関係は予め該送信装置及び該監視装置内に保存する。
【０００８】
上記監視システム内の該送信装置は、コンピュータ、スマートテレビ、携帯電話機又はタブレット型コンピュータとすることができる。該音声送信モジュールは、スピーカ或いは拡声器とすることができる。該音声受信モジュールは、マイク、イヤホン、ＳＡＷフィルター、ＳＡＷ共振器或いはＳＡＷセンサーとすることができる。該ネットワークモジュールは、有線ＬＡＮモジュール、無線通信モジュール、無線ＬＡＮモジュール、ブルートゥースモジュール、赤外線モジュール又は近距離無線通信モジュールとすることができる。該通信ネットワークは、対応する有線ネットワーク、無線通信ネットワーク、無線ネットワーク、ブルートゥースネットワーク、赤外線ネットワーク、或いは近距離無線通信ネットワークとする。上記該デジタル署名において、該送信装置と該監視装置の間にマッチング又は認証するために用いられる必要なデータ以外に、ユーザ情報、ＭＡＣアドレス若しくはパスワード等のデータを更に含むことができ、監視装置はネットワーク接続に要する情報を得ることで該通信ネットワークに接続させることができる。
【０００９】
該監視システム運用方法は、送信装置内の第１の処理モジュールはデジタル署名を一連のニブル（４−ＢＩＴ）として分解し、該一連のニブル（４−ＢＩＴ）内の各ニブル（４−ＢＩＴ）を互いに対応する周波数の可聴周波数に変換し、一連の可聴周波数かなる可聴周波信号を形成し、音声送信モジュールを通じて該可聴周波信号を監視装置に伝送するステップと、該監視装置の音声受信モジュールは該可聴周波信号を受信して該可聴周波信号を第２の処理モジュールに伝送するステップと、該第２の処理モジュールは該可聴周波信号を該デジタル署名に復元するステップと、該第２の処理モジュールは該デジタル署名を利用して該送信装置と該監視装置間のマッチング或いは認証を行うステップとを含む。
【００１０】
詳細な監視システムの運用方法は、送信装置側の運用方法及び監視装置側の運用方法という２つ部分に分けることができる。送信装置側の運用方法は、該送信装置がデジタル署名をインポートすることと、第１の処理モジュールが該デジタル署名をチャネルコーディング（ＣＨＡＮＮＥＬ  ＣＯＤＩＮＧ）と結合してデジタル信号（ＤＩＧＩＴＡＬ  ＳＩＧＮＡＬ）を形成することと、該第１の処理モジュールは該デジタル信号を一連のニブル（４−ＢＩＴ）として分解し、該一連のニブル（４−ＢＩＴ）内の各ニブル（４−ＢＩＴ）を互いに対応する１６種類周波数のいずれかの可聴周波数に変換し、一連の可聴周波数からなる可聴周波信号を形成することと、該第１の処理モジュールが該可聴周波信号内に既定テンポ、周波数で組み合わされた可聴周波数というパターン（ＰＡＴＴＥＲＮ）を挿入することと、該第１の処理モジュールが該可聴周波信号を波形の変換することと、該第１の処理モジュールが波形の変換後の該可聴周波信号を音声送信モジュールに伝送することと、該音声送信モジュールが音声媒体を通じて波形の変換後の該可聴周波信号を伝送することと、を含む。
【００１１】
監視装置側の運用方法は、音声受信モジュールが可聴周波信号を受信することと、該音声受信モジュールが該可聴周波信号を第２の処理モジュールに伝送することと、該第２の処理モジュールが該可聴周波信号内に混入するノイズを除去することと、該第２の処理モジュールが該可聴周波信号に対し高速フーリエ変換（ＦＡＳＴ  ＦＯＵＲＩＥＲ  ＴＲＡＮＳＦＯＲＭ）を行うことと、該第２の処理モジュールが該可聴周波信号をデジタル信号に変換することと、該第２の処理モジュールがパターンを利用して該デジタル信号内のデジタル署名を含む読み取り枠範囲を識別することと、該第２の処理モジュールが該読み取り枠範囲を試して前後移動することで、伝送過程中の読み取り枠のずれの問題を減少することと、該第２の処理モジュールがチャネルコーディングを利用して該読み取り枠範囲内から該デジタル署名を解読することと、該第２の処理モジュールが該デジタル署名を利用して該送信装置と該監視装置間のマッチング及び認証を行うことと、を含む。
【００１２】
該送信装置と該監視装置は装置間のマッチング或いは認証を終えた後、監視システムの運用方法は該監視装置が該第２の処理モジュールと接続するネットワークモジュールを通じて通信ネットワークにリンクするステップと、該監視装置が該通信ネットワークを通じて該第２の処理モジュールで生成したメッセージを伝送するステップと、を更に含む。
【００１３】
該監視装置にユーザインターフェースが欠如し、ネットワーク接続に要する情報を入力して通信ネットワークに接続することができないことに鑑み、上記該デジタル署名において、該送信装置と該監視装置の間にマッチング又は認証するために用いられる必要なデータ以外に、ユーザ情報、ＭＡＣアドレス若しくはパスワード等のデータを更に含むことができ、該監視装置はネットワーク接続に要する情報を得られることで該通信ネットワークに接続できる。
【発明の効果】
【００１４】
上記発明内容を総合すると、本発明は監視装置の無線化後でもたらした難題を解決できることが分かる。具体的に言うと、本発明は監視システム及びその運用方法に関し、音声媒体を介してデジタル署名を伝送することで装置間のマッチング問題を解決し、また更にデジタル署名内に運んでいるユーザ情報、ＭＡＣアドレス或いはパスワード等の情報を通じて監視装置を通信ネットワークに接続し、監視装置が取り込んだ映像、音声信号等の情報を伝送させることができる。
【図面の簡単な説明】
【００１５】
【図１】本発明の一実施例に係る監視システムを示す模式図である。
【図２】本発明の一実施例に係る監視システムアーキテクチャを示す模式図である。
【図３】本発明の一実施例に係る監視システムの運用方法フローチャートである。
【図４】本発明の一実施例に係る送信装置側の運用方法フローチャートである。
【図５】本発明の一実施例に係る監視装置側の運用方法フローチャートである。
【発明を実施するための形態】
【００１６】
図１は、本発明の一実施例に係る監視システムを示す模式図である。該監視システム１０は、送信装置２０と監視装置３０とを含み、該送信装置２０が音声媒体４０を通じて該監視装置３０と装置間の認証或いはマッチングを行うことができる。該送信装置２０は、更に該音声媒体４０を通じて該監視装置３０にネットワーク接続に要する情報を送信して通信ネットワーク５０に接続させることができる。
【００１７】
図２は、本発明の一実施例に係る監視システムアーキテクチャを示す模式図である。該監視システム１０は、送信装置２０と監視装置３０とを含む。該送信装置２０は、デジタル署名を可聴周波信号に変換するための第１の処理モジュール２１と、該第１の処理モジュール２１と接続し、音声媒体４０を通じて該可聴周波信号を送信する音声送信モジュール２２とを備える。該デジタル署名は、該送信装置２０と該監視装置３０間のマッチング及び認証に用いられる。該監視装置３０は、該可聴周波信号を受信する音声受信モジュール３２と、該音声受信モジュール３２と接続し、該可聴周波信号を該デジタル署名に復元する第２の処理モジュール３１とを備える。
【００１８】
上記図２の実施例内の該デジタル署名は、一連のニブル（４−ＢＩＴ）を含み、該可聴周波信号は一連の可聴周波数を含む。該一連のニブル（４−ＢＩＴ）内の各ニブル（４−ＢＩＴ）と該一連の可聴周波数内の各周波数の可聴周波数の対応関係は、予め該送信装置及び該監視装置内に保存する。該送信装置２０は、コンピュータ、スマートテレビ、携帯電話機又はタブレット型コンピュータとすることができる。該音声送信モジュール２２は、スピーカ或いは拡声器とすることができる。該音声受信モジュール３２は、マイク、イヤホン、ＳＡＷフィルター、ＳＡＷ共振器或いはＳＡＷセンサーとすることができる。該デジタル署名内に含まれた該送信装置と該監視装置間のマッチング又は認証を行うために要する情報以外に、ユーザ情報、ＭＡＣアドレス若しくはパスワード等のデータを更に含むことができる。
【００１９】
上記図２の実施例内の該第１の処理モジュール２１は、デジタル署名を可聴周波信号に変換する以外に、更に変換過程において該デジタル署名をチャネルコーディング（ＣＨＡＮＮＥＬ  ＣＯＤＩＮＧ）と結合するために用いられる。該チャネルコーディングは、リード・ソロモン符号（ＲＥＥＤ−ＳＯＬＯＭＯＮ  ＣＯＤＥＳ）とすることができ、又は該可聴周波信号内にパターン（ＰＡＴＴＥＲＮ）を挿入するために用いられる。該パターンは既定テンポ、周波数で組み合わせた可聴周波数で、且つプレフィックスパターン（ＰＲＥＦＩＸ  ＰＡＴＴＥＲＮ）或いはポストフィックスパターン（ＰＯＳＴＦＩＸ  ＰＡＴＴＥＲＮ）とすることができ、若しくは該可聴周波信号に対し波形の変換及び波の幅の変換を行うために用いられる。第１の処理モジュール２１に比べると、上記図２内の第２の処理モジュール３１は該可聴周波信号を該デジタル署名に変換する以外に、更に変換過程において該可聴周波信号内に混入するノイズを除去するために用いられ、或いは該可聴周波信号に対し高速フーリエ変換（ＦＡＳＴ  ＦＯＵＲＩＥＲ  ＴＲＡＮＳＦＯＲＭ）を行うために用いられる。さらに、パターンを利用して該デジタル信号内のデジタル署名を含む読み取り枠範囲を識別し、若しくは該読み取り枠範囲を試して前後移動することで伝送過程中の読み取り枠のずれ問題を減少し、或いはチャネルコーディングを利用して該読み取り枠範囲から該デジタル署名を解読し、又は該デジタル署名を利用して該送信装置２０と該監視装置３０間のマッチング或いは認証を行う。
【００２０】
上述図２の実施例内の該監視装置３０は、該第２の処理モジュール３１とリンクし、該監視装置３０を通信ネットワーク５０にリンクするためのネットワークモジュール３３と、該第２の処理モジュール３１と接続し、外部映像を取り込むための撮影モジュール３４とを更に含む。該ネットワークモジュール３３は、有線ＬＡＮモジュール、無線通信モジュール、無線ＬＡＮモジュール、ブルートゥースモジュール、赤外線モジュール或いは近距離無線通信モジュールとすることができる。該通信ネットワーク５０は、対応する有線ネットワーク、無線通信ネットワーク、無線ネットワーク、ブルートゥース（登録商標）ネットワーク、赤外線ネットワーク或いは近距離無線通信ネットワーク（ＮＦＣ）とすることができる。
【００２１】
図３は、本発明の一実施例に係る監視システムの運用方法フローチャートである。該監視システムの運用方法の流れは、送信装置２０内の第１の処理モジュール２１がデジタル署名を可聴周波信号に変換し、また音声送信モジュール２２を通じて監視装置３０に伝送することと、該監視装置３０の音声受信モジュール３２が該可聴周波信号を受信して該可聴周波信号を第２の処理モジュール３１に伝送することと、該第２の処理モジュール３１が該可聴周波信号を該デジタル署名に復元することと、該第２の処理モジュール３１が該デジタル署名を利用して該送信装置２０と該監視装置３０間のマッチング或いは認証を行うことと、を含む。
【００２２】
図４は、本発明の一実施例に係る送信装置側の運用方法フローチャートである。該送信装置側の運用方法は、送信装置２０がデジタル署名を第１の処理モジュール２１にインポートするステップと、該第１の処理モジュール２１が該デジタル署名をチャネルコーディングに結合してデジタル信号を形成するステップと、該第１の処理モジュール２１が該デジタル信号を一連のニブル（４−ＢＩＴ）として分解し、また各ニブル（４−ＢＩＴ）を互いに対応する周波数の可聴周波数に変換して一連の可聴周波数からなる可聴周波信号を形成するステップと、該第１の処理モジュール２１が該可聴周波信号内にパターンを挿入するステップと、該第１の処理モジュール２１が該可聴周波信号に対し波形の変換を行うステップと、該第１の処理モジュール２１が波形の変換後の該可聴周波信号を音声送信モジュール２２に伝送するステップと、該音声送信モジュール２２が音声媒体４０で波形の変換後の該可聴周波信号を伝送するステップと、を含む。
【００２３】
図４の送信装置側の運用方法フローチャートの他の実施例においてユーザは、携帯電話機上に伝送しようとするデジタル署名を入力又はロードできる。該デジタル署名は、装置のマッチング用データとユーザ情報とネットワークアクセスポイント（ＡＣＣＥＳＳ  ＰＯＩＮＴ）のＭＡＣアドレス若しくはパスワードとを含み、また携帯電話機内のプロセッサーを利用して該デジタル署名をリード・ソロモン符号に結合した後、１件のデジタル信号として保存できる。その後、プロセッサーは、デジタル信号を一連のニブル（４−ＢＩＴ）の形式に分割し、また各ニブル（４−ＢＩＴ）を内容によって対応する１６種類周波数のいずれかの可聴周波数に変換し、一連の可聴周波数からなる可聴周波信号を形成する。ニブル（４−ＢＩＴ）と可聴周波数周波数の対応関係は、予め該携帯電話機内に保存する。次に、プロセッサーはパターンを表わす既定テンポ、周波数で組み合わせた可聴周波数を該可聴周波信号に挿入することで、該可聴周波信号の開始点及び終了点を表示する。プロセッサーは、次に該可聴周波信号内の周波数が異なる可聴周波数に対し波形の変換及び波の幅の変換を行い、また変換後の該可聴周波信号を携帯電話機のスピーカによって送り出す。
【００２４】
図５は、本発明の一実施例に係る監視装置側の運用方法フローチャートである。該監視装置側の運用方法の流れは、監視装置３０の音声受信モジュール３２が送信装置２０から伝送された可聴周波信号を受信することと、該音声受信モジュール３２が該可聴周波信号を第２の処理モジュール３１に送って可聴周波数の分析を行うことと、該第２の処理モジュール３１が該可聴周波信号の伝送過程中に混入する背景ノイズを除去することと、該第２の処理モジュール３１が該可聴周波信号に対し高速フーリエ変換を行うことと、該第２の処理モジュール３１が該可聴周波信号内の一連の可聴周波数を対応する一連のニブル（４−ＢＩＴ）に変換し、該一連のニブル（４−ＢＩＴ）からなるデジタル信号を形成することと、該第２の処理モジュール３１がパターンを利用して該一連のニブル（４−ＢＩＴ）からなる該デジタル信号内のデジタル署名を含む可能性のある読み取り枠範囲を識別することと、該第２の処理モジュール３１が該読み取り枠範囲を試して前後移動することで、伝送過程中読み取り枠のずれの問題を減少することと、該第２の処理モジュール３１がチャネルコーディングを利用して該デジタル署名を該読み取り枠範囲から解読することと、該第２の処理モジュール３１が該デジタル署名を利用して該送信装置２０と該監視装置３０間のマッチング或いは認証を行うことと、該第２の処理モジュール３１がネットワークモジュール３３を利用して通信ネットワーク５０にリンクすることと、該監視装置３０が該通信ネットワーク５０を通じて撮影モジュール３４が取り込んだ外部映像及び音声信号を伝送することと、を含む。
【００２５】
図５の監視装置側の運用方法フローチャートの他の実施例においては、ネットワークカメラのマイクが携帯電話機から伝送された可聴周波信号を受信した後、可聴周波信号をネットワークカメラのマイクロプロセッサチップに送って可聴周波数の分析を行う。可聴周波数の分析段階においてマイクロプロセッサチップは、まずノイズ低減技術で環境中の背景ノイズ及びエコーを除去する。該ノイズ低減技術が採用するオープンソースのノイズ低減技術データベースは、発明の属する技術の分野における通常の知識を有する者が熟知するため、ここでは詳細な記述を省略する。その後、マイクロプロセッサチップ内のイコライザーは、該可聴周波信号内の周波数が異なる可聴周波数を増強又は縮小する。そして、マイクロプロセッサチップは可聴周波信号に対し高速フーリエ変換を行ってから該可聴周波信号内の各周波数の可聴周波数を対応するニブル（４−ＢＩＴ）に復元し、一連のニブル（４−ＢＩＴ）からなるデジタル信号を形成する。可聴周波数を該一連のニブル（４−ＢＩＴ）に復元する時の誤判定率を縮小するため、各可聴周波数が更にＮ断片として分解されて数回の分析を行うことで繰り返し検証し、ここでＮは１より大きい。マイクロプロセッサチップは、次に検出したパターンを利用して該一連のニブル（４−ＢＩＴ）からなる該デジタル信号内のデジタル署名を含む読み取り枠範囲を識別する。伝送過程中で発生する読み取り枠のずれの問題を避けるため、マイクロプロセッサチップは読み取り枠範囲を試して前後移動することで、異なる読み取り枠範囲を取得する。最後に、マイクロプロセッサチップはリード・ソロモン符号のサポートで該読み取り枠範囲から該デジタル署名を取得する。
【００２６】
前段落の実施例の監視装置側の運用方法の続き、マイクロプロセッサチップはデジタル署名を取得した後、マイクロプロセッサチップが用該デジタル署名内のユーザ情報を利用して該携帯電話機の身分を認証することで該携帯電話機と該ネットワークカメラのマッチングを完成させる。次に、ネットワークカメラは無線ＬＡＮモジュールを通じてＷＩ−ＦＩネットワークにリンクしてカメラが撮影した映像を携帯電話機の画面に伝送できる。該ネットワークカメラがリンクしようとするＷＩ−ＦＩネットワークアクセスポイントが隠蔽されて設定されていた場合、若しくはアカウントパスワードが必要とする場合、ネットワークカメラは更にデジタル署名に付随したＡＰ  ＭＡＣアドレス、ＡＰアカウント又はＡＰパスワードで該ＷＩ−ＦＩ（登録商標）ネットワークアクセスポイントにログインできる。該ネットワークカメラが撮影した映像をスマートテレビ上に伝送して見ろうとする時も、該デジタル署名に付随したスマートテレビＭＡＣアドレスを利用して該ネットワークカメラの映像を伝送するターゲットのネットワークアドレスに指示できる。
【００２７】
図５の監視装置側の運用方法フローチャートの更なる他の実施例において、ネットワークカメラは携帯電話機から伝送されたデジタル署名内のユーザ情報を認証するためのデータベースは、監視装置内ではなく、リモートサーバ内に保存されている。この実施例において、マイクロプロセッサチップは可聴周波信号内からデジタル署名を取り出した後、まず無線ＬＡＮモジュールを通じてＷＩ−ＦＩ（登録商標）ネットワークにリンクし、ＷＩ−ＦＩ（登録商標）ネットワークによってリモートサーバのデータベースと接続し、デジタル署名及びユーザ情報の照合を行うことで、携帯電話機とネットワークカメラの認証及びマッチングを完成させることができる。
【００２８】
以上の実施例は、あくまでも本発明の技術的思想及び特徴を説明するため、そして当業者に本発明の内容を理解させると共にこれをもって実施できるようにするためのものである。このような具体例で特許の請求範囲の記載に基づく本発明の技術的範囲が限定されるべきではなく、開示された本発明の思想に基づいて行われる種々の変更、修正又は改良等は、本発明の特許請求範囲の記載に基づく本発明の技術的範囲の内に含まれるべきである。
【符号の説明】
【００２９】
１０  監視システム
２０  送信装置
２１  第１の処理モジュール
２２  音声送信モジュール
３０  監視装置
３１  第２の処理モジュール
３２  音声受信モジュール
３３  ネットワークモジュール
３４  撮影モジュール
４０  音声媒体
５０  通信ネットワーク
【図１】
2015162903.tif 000003
【図２】
2015162903.tif 000004
【図３】
2015162903.tif 000005
【図４】
2015162903.tif 000006
【図５】
2015162903.tif 000007